(57)【要約】      （修正有）【課題】通行性を確保しつつ、遮蔽性を高めた間仕切り用暖簾を提供する。【解決手段】建築物の開口部を通行可能に遮蔽する間仕切り用暖簾１であって、１辺の長さが前記建築物の開口部の高さと略同等の長さを有する複数の遮蔽基体４と、前記建築物の開口部の上辺に沿って架け渡され、前記遮蔽基体４を着脱可能に吊下げる形状固定支持具が取り付けられる竿体２と、を備え、前記遮蔽基体４は、吊下げられた状態における水平断面形状が１つの山部と１つの谷部が連接した山谷形状をなすように形状記憶加工が施され、前記形状固定支持具は、前記遮蔽基体４の水平断面形状と略同形の山谷形状の断面形状を有し、前記遮蔽基体４の側縁部と隣り合う遮蔽基体の側縁部とが互いに重ね合わされて前記竿体に吊下げられていることを特徴とする。【選択図】図１
2019198529.tif 000002
【特許請求の範囲】
【請求項１】
建築物の開口部を通行可能に遮蔽する間仕切り用暖簾であって、
１辺の長さが前記建築物の開口部の高さと略同等の長さを有する複数の遮蔽基体と、
前記建築物の開口部の上辺に沿って架け渡され、前記遮蔽基体を着脱可能に吊下げる形状固定支持具が取り付けられる竿体と、を備え、
前記遮蔽基体は、吊下げられた状態における水平断面形状が１つの山部と１つの谷部が連接した山谷形状をなすように形状記憶加工が施され、
前記形状固定支持具は、前記遮蔽基体の水平断面形状と略同形の山谷形状の断面形状を有し、
前記遮蔽基体の側縁部と隣り合う遮蔽基体の側縁部とが互いに重ね合わされて前記竿体に吊下げられていることを特徴とする間仕切り用暖簾。
【請求項２】
前記遮蔽基体の側縁部と隣り合う遮蔽基体の側縁部との重ね合わせは、前記遮蔽基体の山谷形状の谷部第１面の側縁部と隣り合う遮蔽基体の山谷形状の山部第２面の側縁部との重ね合わせであることを特徴とする請求項１に記載の間仕切り用暖簾。
【請求項３】
前記遮蔽基体は、下縁部に下部筒状部を有し、
前記下部筒状部には、前記遮蔽基体の水平断面形状と略同形の山谷形状の断面形状を有する重し部材が挿通されることを特徴とする請求項１又は２に記載の間仕切り用暖簾。
【請求項４】
前記遮蔽基体に形状記憶加工される山谷形状が、波型形状、Ｓ字形状、鋸歯形状、角型Ｓ字形状のいずれかであることを特徴とする請求項１乃至３のいずれか１項に記載の間仕切り用暖簾。
【請求項５】
前記竿体の一面には、前記遮蔽基体に装着された前記形状固定支持具を嵌合させて、前記遮蔽基体を吊下げるための遮蔽基体装着溝が形成され、
前記遮蔽基体装着溝は、前記遮蔽基体の水平断面形状と略同形の山谷形状の溝面形状を有する複数の溝が隣り合う２つの溝の一部が接するように穿溝されて直列に配列された溝面形状を有し、
前記竿体及び前記形状固定支持具には両者を結合させる係合穴が設けられ、該係合穴に係合ピンを貫通させて前記遮蔽基体を前記竿体に吊下げるものであることを特徴とする請求項１乃至４のいずれか１項に記載の間仕切り用暖簾。
【請求項６】
前記形状固定支持具は、前記遮蔽基体の上縁部に設けられた上部筒状部に挿通されて、前記遮蔽基体に装着されるものであることを特徴とする請求項５に記載の間仕切り用暖簾。
【請求項７】
前記形状固定支持具はその側面に面ファスナーを備え、前記遮蔽基体の上縁部に設けられた面ファスナーに貼付されて、前記遮蔽基体に装着されるものであることを特徴とする請求項５に記載の間仕切り用暖簾。
【請求項８】
前記形状固定支持具は、前記遮蔽基体の断面形状と略同形の山谷形状の断面形状を有し、前記遮蔽基体の上縁部に設けられた筒状部に挿通される遮蔽基体支持爪と、該遮蔽基体支持爪の一方の端部を回動可能に前記竿体に固定する回動ピンと、前記遮蔽基体支持爪の他方の端部を着脱可能に固定する固定ピンと、を有することを特徴とする請求項１乃至４のいずれか１項に記載の間仕切り用暖簾。
【発明の詳細な説明】
【技術分野】
【０００１】
本発明は、建築物の室内開口部等に取り付ける間仕切り用暖簾に関する。
【背景技術】
【０００２】
近年、敷地の大きさに対してリビング空間等の主空間を大きくすることを目的に、廊下等の通路を減らし階段もリビング内に設けるなどしたタイプの住宅が作られるようになってきた。このような居住空間は、広々としたリビングで居住者間の交流が豊かになる等の利点はあるものの、遮光、防音、空調の面から多目的利用が難しいという難点も有している。
【０００３】
大空間室内の多目的利用のために間仕切りを用いることは、古くから行われており、間仕切り間の通行性を有するようにした暖簾装置の提案もなされている（特許文献１参照）。
間仕切り用暖簾は、遮蔽布の下部がスリット状に切断されていることで間仕切り間の通行を可能にする一方、スリット部が空調等の気流によりめくれるため、遮蔽性が劣るという欠点を有している。特許文献１に記載された暖簾装置は、隣り合う帯状体の縁部を重ね合わせるようにすることで、遮蔽性を高めようとしたものだが、平板状の帯状体を用いているため、重ね合わせ部が空調等の気流により隣り合う帯状体の間隔が開き、その隙間からダイレクトに音や光が洩れてしまうため、遮光、防音、空調の遮蔽性を低下させることが起きやすいという欠点を有している。
【先行技術文献】
【特許文献】
【０００４】
【特許文献１】特開２０１０−２６５６０２号公報
【発明の開示】
【発明が解決しようとする課題】
【０００５】
本発明は、上記従来技術の問題点に鑑みてなされたものであって、本発明の目的は、通行性を確保しつつ、遮光、防音、空調の遮蔽性を高めた間仕切り用暖簾を提供することにある。
【課題を解決するための手段】
【０００６】
上記目的を達成するためになされた本発明の一態様による間仕切り用暖簾は、建築物の開口部を通行可能に遮蔽する間仕切り用暖簾であって、１辺の長さが前記建築物の開口部の高さと略同等の長さを有する複数の遮蔽基体と、前記建築物の開口部の上辺に沿って架け渡され、前記遮蔽基体を着脱可能に吊下げる形状固定支持具が取り付けられる竿体と、を備え、前記遮蔽基体は、吊下げられた状態における水平断面形状が１つの山部と１つの谷部が連接した山谷形状をなすように形状記憶加工が施され、前記形状固定支持具は、前記遮蔽基体の水平断面形状と略同形の山谷形状の断面形状を有し、前記遮蔽基体の側縁部と隣り合う遮蔽基体の側縁部とが互いに重ね合わされて前記竿体に吊下げられていることを特徴とする。
【０００７】
前記遮蔽基体の側縁部と隣り合う遮蔽基体の側縁部との重ね合わせは、前記遮蔽基体の山谷形状の谷部第１面の側縁部と隣り合う遮蔽基体の山谷形状の山部第２面の側縁部との重ね合わせであることが好ましい。
【０００８】
前記遮蔽基体は、下縁部に下部筒状部を有し、前記下部筒状部には、前記遮蔽基体の水平断面形状と略同形の山谷形状の断面形状を有する重し部材が挿通されることが好ましい。
【０００９】
前記遮蔽基体に形状記憶加工される山谷形状が、波型形状、Ｓ字形状、鋸歯形状、角型Ｓ字形状のいずれかであることが好ましい。
【００１０】
前記竿体の一面には、前記遮蔽基体に装着された前記形状固定支持具を嵌合させて、前記遮蔽基体を吊下げるための遮蔽基体装着溝が形成され、前記遮蔽基体装着溝は、前記遮蔽基体の水平断面形状と略同形の山谷形状の溝面形状を有する複数の溝が隣り合う２つの溝の一部が接するように穿溝されて直列に配列された溝面形状を有し、前記竿体及び前記形状固定支持具には両者を結合させる係合穴が設けられ、該係合穴に係合ピンを貫通させて前記遮蔽基体を前記竿体に吊下げるものであることが好ましい。
【００１１】
前記形状固定支持具は、前記遮蔽基体の上縁部に設けられた上部筒状部に挿通されて、前記遮蔽基体に装着されるものであることが好ましい。
【００１２】
前記形状固定支持具はその側面に面ファスナーを備え、前記遮蔽基体の上縁部に設けられた面ファスナーに貼付されて、前記遮蔽基体に装着されるものであることが好ましい。
【００１３】
前記形状固定支持具は、前記遮蔽基体の断面形状と略同形の山谷形状の断面形状を有し、前記遮蔽基体の上縁部に設けられた筒状部に挿通される遮蔽基体支持爪と、該遮蔽基体支持爪の一方の端部を回動可能に前記竿体に固定する回動ピンと、前記遮蔽基体支持爪の他方の端部を着脱可能に固定する固定ピンと、を有することが好ましい。
【発明の効果】
【００１４】
本発明の間仕切り用暖簾によれば、水平断面形状が山谷形状に形状記憶加工された複数の遮蔽基体が、その側縁部と隣り合う遮蔽基体の側縁部を互いに重ね合わされ、遮蔽基体を竿体に支持する形状固定支持具が遮蔽基体の水平断面形状と略同形の山谷形状の断面形状を有して遮蔽基体の山谷形状を保持しているので、本発明の間仕切り用暖簾が間仕切る空間において風圧差が生じて遮蔽基体が揺らいだとしても、遮蔽基体の形状効果により隣り合う遮蔽基体の隙間からのダイレクトの漏れを防止できるので、遮光、遮音、冷暖気の遮断の効果を十分に保持することができる。
【図面の簡単な説明】
【００１５】
【図１】本発明の一実施形態による間仕切り用暖簾の斜視図である。
【図２】本発明の一実施形態による間仕切り用暖簾の正面図である。
【図３】図２の間仕切り用暖簾のＩ−Ｉ断面図である。
【図４】本発明の一実施形態による形状固定支持具の正面図及び平面図である。
【図５】本発明の一実施形態による竿体の側面図及び平面図である。
【図６】本発明の他の実施形態による形状固定支持具の正面図及び平面図である。
【図７】本発明の他の実施形態による形状固定支持具が固定された竿体の正面図及び平面図である。
【発明を実施するための形態】
【００１６】
以下、本発明の実施形態による間仕切り用暖簾を、図面を参照しながら説明する。
図１は、本発明の一実施形態による間仕切り用暖簾１の斜視図であり、図２は本発明の一実施形態による間仕切り用暖簾１の正面図である。
本実施形態の間仕切り用暖簾１は、建築物の開口部の上辺に沿って架け渡されて固定された竿体２と、竿体２に形状固定支持具３を介して上縁が吊下げられた略同一形状の複数枚（図示例では４枚）の遮蔽基体４とを備えている。
本実施形態における形状固定支持具３は、遮蔽基体４の上縁部に設けられた上部筒状部に挿入されて竿体２に装着されているため図１、２には図示していない。
【００１７】
間仕切り用暖簾１が取り付けられる建築物内の開口部は、建築物内の通路や部屋の間仕切り部等であり、特に限定されるものではない。
竿体２は、建築物内の開口部の上辺に固定具５によって取り付けられる。図１、２に示す例では、竿体２の上面に固定用レール部材５ａが設けられ、建築物内の開口部の上辺に固定された複数（図示例では２個）のアタッチメント５ｂに着脱可能に装着されている。
【００１８】
各遮蔽基体４の吊下げられた高さ方向の１辺は、建築物内の開口部の高さと略同等の長さであり、建築物内の開口部の上辺に架け渡される方向の１辺は、水平断面形状（図示例ではＩ−Ｉの断面）が１つの山部と１つの谷部が連接した山谷形状になるよう形状記憶加工が施され、遮蔽基体４の山谷形状の谷部側縁部４ｂと隣り合う遮蔽基体４の山部側縁部４ａとが互いに重ね合わされている。
【００１９】
図３は、図１、２の間仕切り用暖簾１のＩ−Ｉ断面図である。遮蔽基体４の水平断面は、１つの山部と１つの谷部が連接した山谷形状であり、山谷形状としては例えば、波型形状、Ｓ字形状、鋸歯形状、角型Ｓ字形状が挙げられ、図示例では波型形状である。
図示例における遮蔽基体４の重ね合わせは、左端の遮蔽基体４の右端の谷部側縁部４ｂの１面（紙面奥側の面）に右隣の蔽基体４の左端の山部側縁部４ａの２面（紙面手前側の面）を重ね、該右隣の蔽基体４の谷部側縁部４ｂの１面にその右隣の蔽基体４の左端の山部側縁部４ａの２面を重ね、順次、同様にして重ねて合わされている。
遮蔽基体４の水平断面形状が１つの山部と１つの谷部が連接した山谷形状を有し、遮蔽基体４の谷部側縁部４ｂと隣り合う遮蔽基体４の山部側縁部４ａとが互いに重ね合わされていることにより、遮蔽基体４が空調等による局部的な風圧を受けて遮蔽基体４間に隙間が生じた場合にも、山谷形状の屈曲構造により暖冷気、音、光のダイレクトな漏れが防止できる。
隣接する遮蔽基体４同士の重ね合わせ部の幅は、暖冷気、音、光のダイレクトな漏れ防止や通行のし易さの点で、遮蔽基体４の山谷形状の１斜面幅（水平幅の略１／４）の１／５〜１／２が好ましい。
【００２０】
遮蔽基体４の材質は、布地や軟質樹脂等の軟質基材であり、布地としては、例えば、ポリエステル、アクリル等の合成繊維のみからなる編織物、又は合成繊維と天然繊維、再生繊維もしくは半合成繊維とを混紡、交織、交編等の手段で複合してなる編織物等が挙げられる。
遮蔽基体４は、また、複数の軟質基材の重ね合わせであってもよい。複数の軟質基材の重ね合わせにより、遮蔽基体４の交換の手間なしで遮光性等の遮蔽性の制御も可能となる。遮蔽基体４の重ね合わせの方法としては、面ファスナーやホック等の公知の方法で行うことができる。
遮蔽基体４は、所定の形状に形状記憶加工が施されている。形状記憶加工の方法としては、スチーム加熱・加圧による方法や成形剤を基材に含侵させて成形する方法等公知の形状記憶加工方法で行うことができる。
【００２１】
本実施形態による遮蔽基体４は、上縁部に上部筒状部が形成され、上部筒状部には、断面形状が遮蔽基体４の水平断面形状と略同形の山谷形状を有し、側面に支持具係止穴３ａが設けられた形状固定支持具３が挿通される。
図４は、本実施形態による形状固定支持具３の正面図及び平面図である。形状固定支持具３は、遮蔽基体４の水平断面形状を保持して竿体２に遮蔽基体４を吊下するための部材であり、断面形状が遮蔽基体４の水平断面形状と略同形の山谷形状になっていることにより軟質素材である遮蔽基体４の山谷形状を保持し、形状固定支持具３の側面に設けられた基体係止穴３ａと竿体２の側面に設けられた装着溝係止穴２ｂを共に挿通する係止ピン６により遮蔽基体４を竿体２に吊下している。
形状固定支持具３は竿体２に設けられた遮蔽基体装着溝２ａに嵌合されるが、形状固定支持具３の嵌合される方向の高さは、遮蔽基体装着溝２ａの溝の深さと略同一の長さとすることが好ましい。形状固定支持具３の高さと遮蔽基体装着溝２ａの溝の深さをそろえることにより、形状固定支持具３を挿通させた遮蔽基体４の上部筒状部を遮蔽基体装着溝２ａの溝内に収めることができ、外観の美観を高めることができる。
【００２２】
また、遮蔽基体４は、下縁部に下部筒状部が形成され、該下部筒状部には、断面形状が遮蔽基体４の水平断面形状と略同形の山谷形状を有する重し部材が挿通されることが好ましい。
遮蔽基体４の下部筒状部に重し部材を挿通させることにより、遮蔽基体４の水平断面形状を保持して遮蔽性を高めることができる。
【００２３】
本実施形態の竿体２の遮蔽基体４を吊下げる面には、形状固定支持具３を挿通した遮蔽基体４の上部筒状部が嵌合する遮蔽基体装着溝２ａが形成されている。
図５は、本実施形態による竿体２の側面図及び平面図である。図示のように遮蔽基体装着溝２ａは、遮蔽基体４の断面形状と略同形の山谷形状が複数繋がった溝面形状を有し、山谷形状単位の溝が接続する部分の溝幅は他の部分の溝幅よりも太くなっている。
遮蔽基体装着溝２ａには遮蔽基体４の上部筒状部４ｃが嵌合するが、前述の溝幅の拡大部分は、遮蔽基体４の重なり部分の上部筒状部４ｃが嵌合する部位であり、遮蔽基体装着溝２ａに形状固定支持具３を挿通した遮蔽基体４の上部筒状部４ｃが嵌合することにより、遮蔽基体４の重なり部が保持される。
【００２４】
竿体２の側面には、一方の側面から前記遮蔽基体装着溝２ａを貫通して他方の側面に到達する複数の装着溝係止穴２ｂが形成されている。
前述の通り、遮蔽基体４は、形状固定支持具３の側面に設けられた支持具係止穴３ａと竿体２の側面に設けられた装着溝係止穴２ｂを共に挿通する係止ピン６により竿体２に吊下されているが、遮蔽基体装着溝２ａの溝の深さ及び装着溝係止穴２ｂが穿溝される位置は、支持具係止穴３ａと装着溝係止穴２ｂが重なり合うように定められる。
【００２５】
図６は、本発明の他の実施形態による形状固定支持具１３の正面図及び平面図である。
本実施形態は、形状固定支持具１３の構成と遮蔽基体１４の上縁部に上部筒状部の代わりに面ファスナー部を設けた構成以外は、第一の実施形態と同一の構成であり、第一の実施形態と同一の構成の部分については同一の符号を付してその説明を省略ないしは簡略化する。
【００２６】
本実施形態の形状固定支持具１３は、断面形状が遮蔽基体１４の水平断面形状と略同形の山谷形状を有し、側面に支持具係止穴３ａが設けられている点は第一の実施形態と同一の構成であるが、形状固定支持具１３の高さが遮蔽基体装着溝２ａの溝の深さよりも高く、溝から露出した部分の側面に面ファスナーが設けられた支持具面ファスナー部１３ａを有する。
本実施形態の形状固定支持具１３は、面ファスナーが設けられる側面の片端部に突出部を有し、該突出部にも面ファスナーが設けられ支持具面ファスナー部１３ａの一部となっている。
支持具面ファスナー部１３ａに設けられた突出部は、遮蔽基体１４の上縁側縁部を固定して、隣り合う遮蔽基体１４の重ね合わせを維持する。
【００２７】
本実施形態の遮蔽基体１４は、上縁部に筒状部が形成されておらず、上縁部に面ファスナーが設けられている点以外は第一の実施形態と同一の構成である。
遮蔽基体１４の上縁部には、形状固定支持具１３の支持具面ファスナー部１３ａに対応する位置に面ファスナーが設けられた基体面ファスナー部１４ａが設けられ、支持具面ファスナー部１３ａと基体面ファスナー部１４ａを合わせることにより形状固定支持具１３への遮蔽基体１４の装着を行うことができる。
【００２８】
図７は、本発明の他の実施形態による形状固定支持具２３が固定された竿体２２の正面図及び平面図である。
本実施形態は、竿体２２の構成と形状固定支持具２３の構成以外は、第一の実施形態と同一の構成であり、第一の実施形態と同一の構成の部分については同一の符号を付してその説明を省略ないしは簡略化する。
【００２９】
本実施形態の竿体２２は、遮蔽基体４を装着、固定する溝及びピン穴を有さず、複数の形状固定支持具２３をその一面に備える。
本実施形態の形状固定支持具２３は、遮蔽基体４の水平断面形状と略同形の山谷形状の断面形状を有し、遮蔽基体４に設けられた上部筒状部に挿通される遮蔽基体支持爪２３ａと、遮蔽基体支持爪２３ａの一方の先端部にあって、竿体２２に遮蔽基体支持爪２３ａを回動可能に固定する回動ピン２３ｂと、竿体２２に固定され、蔽基体支持爪２３ａの他方の先端部に設けられたピン止め構造と着脱可能な固定ピン２３ｃと、を有する。
【００３０】
図７に示すように、本実施形態の竿体２２の一面には、遮蔽基体支持爪２３ａ、回動ピン２３ｂ、固定ピン２３ｃからなる複数（図示例では４個）の形状固定支持具２３が直列に配置される。
図示例では、左端の固定支持具２３の遮蔽基体支持爪２３ａの谷部第１面（紙面奥側の面）の一部と右隣の固定支持具２３の遮蔽基体支持爪２３ａの山部第２面（紙面手前側の面）の一部が略重なり合うように回動ピン２３ｂと固定ピン２３ｃが配置され、他の固定支持具２３も順次同様になるように配置される。
本実施形態に係る間仕切り用暖簾によれば、遮蔽基体４の交換が容易で、遮光、遮音、冷暖気の遮断の優れた効果が得られる。
【符号の説明】
【００３１】
１    間仕切り用暖簾
２、２２    竿体
２ａ  遮蔽基体装着溝
２ｂ  装着溝係止穴
３、１３、２３    形状固定支持具
３ａ  支持具係止穴
４、１４  遮蔽基体
４ａ  山部側縁部
４ｂ  谷部側縁部
５    固定具
５ａ  固定用レール部材
５ｂ  アタッチメント
６    係止ピン
１３ａ  支持具面ファスナー部
２３ａ  遮蔽基体支持爪
２３ｂ  回動ピン
２３ｃ  固定ピン
【図１】
2019198529.tif 000003
【図２】
2019198529.tif 000004
【図３】
2019198529.tif 000005
【図４】
2019198529.tif 000006
【図５】
2019198529.tif 000007
【図６】
2019198529.tif 000008
【図７】
2019198529.tif 000009